(57)【要約】      （修正有）【課題】厚さの異なる原稿を読み取る原稿の厚さ毎に設定することなく、原稿を挿入するのみで、原稿を読み取ることができる画像読取装置を提供する。【解決手段】原稿を所定の接触圧で搬送する一対の搬送ローラ１００と、原稿の厚さを検出する検出手段２００と、原稿の厚さに対応して、原稿が搬送する隙間を可変させるリンク機構３００と、検出結果に基づき原稿の厚さを判定して、その厚さに対応した隙間を作るためにリンク機構３００を作動させる制御手段とを有し、一対の搬送ローラ１００の一方は、付勢手段により他方の搬送ローラ側に付勢され、検出手段２００は、原稿を一対の搬送ローラ１００に挿入した時の一方の搬送ローラの撓み量を検出する。【選択図】図５
2011109240.tif 000002
【特許請求の範囲】
【請求項１】
原稿を所定の接触圧で搬送する一対の搬送ローラと、原稿の厚さを検出する検出手段と、前記原稿の厚さに対応して、前記原稿が搬送する隙間を可変させるリンク機構と、前記検出結果に基づき前記原稿の厚さを判定して、その厚さに対応した隙間を作るためにリンク機構を作動させる制御手段とを有し、
前記一対の搬送ローラの一方は、付勢手段により他方の搬送ローラ側に付勢され、
前記検出手段は、前記原稿を一対の搬送ローラに挿入させた時の前記一方の搬送ローラの撓み量を検出することを特徴とする原稿読取装置。
【請求項２】
前記一対の搬送ローラは、二つ以上配置され、前記一対の搬送ローラが配置された間には、前記原稿を読み取る読取手段が設けられていることを特徴する請求項１記載の原稿読取装置。
【請求項３】
前記原稿の搬送経路は、前記一対の搬送ローラの一方が設けられた上部本体部と、前記一対の搬送ローラの他方および前記読取手段が設けられた下本体部とが向かい合う面の隙間であることを特徴とする請求項１乃至請求項２いずれか記載の原稿読取装置。
【請求項４】
前記一対の搬送ローラの川上側且つ前記下本体部と向かい合う前記上本体部側には、前記原稿の先端を前記搬送ローラ間に導くガイドが設けられ、
前記ガイドは、前記一対の搬送ローラに向かうにしたがい徐々に狭くなり、前記原稿をスムーズに導入する導入部と、所定以上の厚さを持つ前記原稿の搬送を規制する規制部とを有することを特徴とする請求項１乃至請求項３いずれか記載の原稿読取装置。
【請求項５】
前記一対の搬送ローラは、前記読取手段の両側に配置され、前記原稿をどちらか一方から搬送することを特徴とする請求項１乃至請求項４のいずれか記載の原稿読取装置。
【発明の詳細な説明】
【技術分野】
【０００１】
本発明は、原稿読取装置に関する。
【背景技術】
【０００２】
厚みの異なる原稿上のデータを読み取る原稿読取装置として特許文献１のようなものがある。
【特許文献１】特開平６−２７６３７１号公報
【発明の開示】
【発明が解決しようとする課題】
【０００３】
しかし、この構成は、読み取る原稿の厚さ毎に設定しなければならず、連続して異なる厚さの原稿を読み取ることが難しいものであった。
【課題を解決するための手段】
【０００４】
上記課題を解決するために、本発明は、原稿を所定の接触圧で搬送する一対の搬送ローラと、原稿の厚さを検出する検出手段と、原稿の厚さに対応して、原稿が搬送する隙間を可変させるリンク機構と、検出結果に基づき原稿の厚さを判定して、その厚さに対応した隙間を作るためにリンク機構を作動させる制御手段とを有し、一対の搬送ローラの一方は、付勢手段により他方の搬送ローラ側に付勢され、検出手段は、原稿を一対の搬送ローラに挿入させた時の一方の搬送ローラの撓み量を検出することを特徴とする。
【発明の効果】
【０００５】
上記構成により、本発明によれば、簡単な構成で、読み取る原稿の厚さ毎に設置することなく、単に、原稿を一対の搬送ローラ間に食い込ませるのみで原稿を読み取ることができる。
【発明を実施するための最良の形態】
【０００６】
以下、本発明の形態を、図を参照して説明する。図１に本発明の画像読取装置の概略図を示す。この装置は、例えばＡ０サイズまでの大判用紙サイズの原稿Ｐを読み取るＬＥＤプリンタ等の印字出力装置に接続可能なイメージスキャナであり、スキャナ部とプリンタ部が一体となった複写機においても利用される。
【０００７】
このイメージスキャナは、原稿Ｐに記載されたデータを読み取る本体部６１０と、リンク機構３００により原稿Ｐの厚さに対応して上下にシフトする矢印ａ方向に持ち上げることが可能な蓋５１０と、原稿Ｐを搬送する一対の搬送ローラ１００とにより構成される。なお、原稿Ｐに記載されたデータとは、イメージや文字、またはこれらが含まれたものをさす。
【０００８】
本体部６１０は、読取手段６００と、読取手段６００を挟むように配設された送りローラ６２０と排出ローラ６３０とからなる。読取手段６００は、縮小光学系であり、第１ミラーＭ１と、第２ミラーＭ２、第３ミラーＭ３、第４ミラーＭ４と、投撮レンズＬと、撮像素子がライン状に配設されたイメージセンサＳと、二つの光源（Ｌ１、Ｌ２）と、固定台６４０とからなる。
【０００９】
固定台６４０には、原稿Ｐに反射させた光源の光をイメージセンサＳに到達させるために、第１ミラーＭ１、第２ミラーＭ２、第３ミラーＭ３および第４ミラーＭ４が所定の角度を持って配置されている。このような構成により、原稿Ｐに反射させた光源（Ｌ１、Ｌ２）の光は、第１ミラーＭ１、第２ミラーＭ２を介し、第３ミラーＭ３、第４ミラーＭ４を介して、それぞれ投撮レンズＬで集光し、イメージセンサＳで読み込まれる。
【００１０】
蓋５１０は、前部押えローラ５２０と、プラテンローラ５４０と、後部押えローラ５３０からなる。前部押えローラ５２０は、原稿挿入側に配置され、原稿Ｐを読み取る位置にセットされた時、送りローラ６２０と対向する位置に取り付けられている。これにより、原稿Ｐの搬送路が形成される。これら前部押えローラ５２０と送りローラ６２０、後部押えローラ５３０と排出ローラ６３０が、それぞれ一対の搬送ローラ１００となる。
【００１１】
また、後部押えローラ５３０は、原稿排出側に配置され、原稿Ｐを読み取る位置にセットされた時、排出ローラ６３０と対向する位置に取り付けられている。さらに、図２（ｂ）に示すように、前部押えローラ５２０および後部押えローラ５３０は小ローラ７００を軸線上に二つ以上配置されている。
【００１２】
詳しく述べると、前部押えローラ５２０の小ローラ７００および後部押えローラ５３０の小ローラ７００は、図２に示すように、支軸７１０がローラの幅方向に延びている。支軸７１０は蓋５１０に設けられた取付部材８００に回転自在に取り付けられている。
【００１３】
さらに、取付部材８００には溝８１０が設けられている。この溝８１０は、支軸７１０が上方にシフトできるように小ローラ７００の軸線方向に対して垂直方向に形成されている（いわゆる長溝）。これは、読み込む原稿Ｐの厚さのばらつきがあっても支軸７１０を溝８１０に沿ってシフトさせることにより、後に述べる付勢手段８２０と協動して、このばらつきを吸収させるためであること、加えて、厚さのある原稿Ｐを読み込む場合に、送りローラ６２０と前部押えローラ５２０とに食い込ませるためである。
【００１４】
また、支軸７１０と蓋５１０に設けられた取付部材８００とには、付勢手段８２０が取り付けられている。これにより、前部押えローラ５２０の小ローラ７００および後部押えローラ５３０の小ローラ７００は、各々送りローラ６２０および排出ローラ６３０側に力が作用するように付勢されている。取付部材８００は、小ローラ７００の上方を覆う構成となっている。
【００１５】
小ローラ７００の上方には検出手段２００が設けられている。検出手段２００は発光部２１０と受光部２２０とからなる光学式のセンサである。検出片２３０となる小ローラ７００を覆う取付部材８００の上面に、発光部２１０の光を照射して、反射した光を受光部２２０で受けて、その反射した光を電圧に変化し、その電圧値のより、付勢手段８２０の撓み、すなわち、読み込み原稿Ｐの厚さを検出するものである。
【００１６】
ここで、話が前後するが、送りローラ６２０と排出ローラ６３０も、前部押えローラ５２０および後部押えローラ５３０と同様に、小ローラ７００を軸線上に二つ以上配置されている。ただし、前部押えローラ５２０および後部押えローラ５３０と構成が違う点は、付勢手段８２０と検出手段２００は設けられていない点である。
【００１７】
さらに、原稿Ｐが挿入される蓋５１０側は、前部押えローラ５２０と送りローラ６２０側）にスムーズに挿入しやすいように読取手段６００側に向かうにしたがって隙間が狭くなる導入部５０１と、所定以上の厚さを持つ原稿Ｐの搬送を規制する規制部５０２が設けられている。
【００１８】
プラテンローラ５４０は、前部押えローラ５２０から送られた原稿Ｐをコンタクトガラス上方に案内し、原稿Ｐをコンタクトガラス上、すなわち読み取り位置（読取面）にフィットさせるためのものである。
【００１９】
リンク機構３００は、原稿Ｐの厚さに対応して、原稿Ｐが搬送する隙間を可変するものであり、固定軸３３０とカム部材３２０と移動軸３１０とからなる。固定軸３１０は、本体部６１０の側面に設けられている。
【００２０】
カム部材３２０は、略円弧状の形状を成し、一端が移動軸３１０に固定されている。さらに、内部は、後に述べる駆動手段９００の駆動に伴い、蓋５１０の移動の上限と下限を規制する円弧状に切り込まれたガイド溝３５０が設けられている。
【００２１】
このガイド溝３５０には固定軸３３０が移動可能に嵌まり込んでいる。固定軸３３０は、駆動手段９００を駆動させてカム部材３２０を動かす時に、支点となるものである。この固定軸３３０を支点としてカム部材３２０を移動させ、蓋５１０を所定位置に上方シフトさせるものである。
【００２２】
移動軸３１０は、移動溝３６０に沿って蓋５１０が上方にシフトできるようになっている。移動溝３６０は、本体部６１０の側面に配置された補助部材３４０に設けられている。
【００２３】
駆動手段９００は、カム部材３２０を介して蓋５１０を上方にシフトさせ、原稿Ｐが搬送する隙間を形成するものであり、図示しない伝達手段を介して移動軸３１０に連結されている。
【００２４】
図３に示すように、制御手段４００は、検出手段２００の検出結果に基づき、原稿Ｐの厚さに対応した隙間を形成するために駆動手段９００を駆動させるものである。制御手段４００には、原稿Ｐの厚さに対応した電圧値の閾値が格納されている。制御手段４００は、この閾値と検出手段２００で検知された電圧値とを比較して、搬送される（読み取られる）原稿Ｐの厚さを判定し、その厚さ分だけ駆動手段９００を駆動させる。
【００２５】
以上の構成もと、図４（ａ）の状態のように、薄い原稿Ｐを送りローラ６２０と前部押えローラ５２０との間に挿入する。この時、検出手段２００は、付勢手段８２０がほとんど撓まないことを検出する。制御手段４００は、検出結果から薄い原稿Ｐと判定して、リンク機構３００を作動させることなく送りローラ６２０と前部押えローラ５２０を駆動させ、この原稿Ｐを読取手段６００側に搬送する。
【００２６】
図４（ｂ）、（ｃ）の状態のように、先ほどと同じように、厚い原稿Ｐを送りローラ６２０と前部押えローラ５２０との間に挿入する。この時、検出手段２００は、付勢手段８２０が撓んでいることを検出する。制御手段４００は、付勢手段８２０が撓んだ変位量を電圧値に変換し、変換した電圧値と制御手段４００に格納された原稿Ｐの厚さに対応した電圧値の閾値を比較する。
【００２７】
この後、原稿Ｐの厚さに対応した隙間を得るため、図に示すように図５（ａ）の状態から図５(ｂ)に示すように駆動手段９００を駆動させる。駆動手段９００を駆動させると、移動軸３１０が移動溝３６０に沿って移動して、上方に移動する。
【００２８】
この移動軸３１０の移動にともない、固定軸３１０を支点としてガイド溝３５０に沿ってカム部材３２０が矢印方向ｂに動く。これにより原稿Ｐの厚さに対応した隙間（搬送部）が形成される。
【００２９】
なお、原稿Ｐの厚さにばらつきがあったとしても、この時、原稿Ｐに対する送りローラ６２０と前部押えローラ５２０との間に生じている圧力（ニップ圧）は、付勢手段８２０の作用により、適切な圧力（原稿Ｐを搬送するのに十分な圧力）となっている。
【００３０】
この後、制御手段４００は、送りローラ６２０と前部押えローラ５２０を駆動させ、読取手段６００側に原稿Ｐを送る。
【００３１】
このように、簡単な構成で、読み取る原稿Ｐの厚さ毎に設置することなく、単に、原稿Ｐを一対の搬送ローラ間に食い込ませるのみで原稿Ｐを読み取ることができる。
【図面の簡単な説明】
【００３２】
【図１】本発明の画像読取装置の概略図。
【図２】前部押えローラおよび後部押えローラの詳細を示す図。
【図３】本発明の制御に関するブロック図。
【図４】本発明の検出手段と付勢手段の動作を示す図であり、（ａ）は薄い原稿を搬送した状態を示す図、（ｂ）および（ｃ）は厚い原稿を搬送した状態を示す図。
【図５】本発明のリンク機構を示す図であり、（ａ）は薄い原稿を搬送した状態を示す図、（ｂ）は厚い原稿を搬送した状態を示す図。
【符号の説明】
【００３３】
１００  一対の搬送ローラ
２００  検出手段
４００  制御手段
５００  ガイド
６００  読取手段
Ｐ      原稿
【図１】
2011109240.tif 000003
【図２】
2011109240.tif 000004
【図３】
2011109240.tif 000005
【図４】
2011109240.tif 000006
【図５】
2011109240.tif 000007